(57)【要約】【課題】導光板を用いなくても暗所での表示品質を確保すると共に更なる薄型化、低コスト化を図ることができる液晶装置及びその液晶装置を用いた電子機器を提供すること。【解決手段】光源３０から射出された光が透光性部材６により反射され、他方の基板である第２の基材９ａに入射させられることとしたので、フロントライトのように射出光を導光板の側端面に入射させて面状発光体を形成させる必要がない。従って、導光板を必要としないので、導光板の厚さ分、当該液晶装置を用いた電子機器において薄くできると共に部品点数が増加するのを防ぎコスト低減できる。また、当該導光板を必要としないため液晶装置１の設計の自由度を上げることができる。【選択図】  図４
2007334084.tif 000002
【特許請求の範囲】
【請求項１】
液晶を狭持する一対の基板と、
前記一対の基板のうち一方の基板に設けられた反射膜と、
前記一対の基板の他方の基板に対して、前記一方の基板と反対側に開口を有し、少なくとも前記一対の基板を収容する筐体と、
前記開口に装着された透光性部材と、
前記筐体の前記開口付近と前記他方の基板との間に配置され、射出した光を前記透光性部材で反射させて前記他方の基板に入射させることが可能な光源と
を具備することを特徴とする液晶装置。
【請求項２】
前記光源は、前記光を射出する射出面を有し、
前記射出面は、前記射出した光が前記透光性部材に進むように前記透光性部材に向けられて前記筐体に配置されていることを特徴とする請求項１に記載の液晶装置。
【請求項３】
前記光源は、前記光を射出する射出面を有し、
前記射出面を覆うように第１の散乱部材を更に具備し、
前記射出した光は、前記第１の散乱部材により散乱させられ、前記透光性部材に進み反射されて前記他方の基板に入射させられることを特徴とする請求項１に記載の液晶装置。
【請求項４】
前記光源の前記筐体側と反対側面に固定された第１の反射部材を更に具備し、
前記第１の反射部材は、前記第１の散乱部材により散乱させられた光の一部を前記透光性部材に進むように反射させることを特徴とする請求項３に記載の液晶装置。
【請求項５】
液晶を狭持する一対の基板と、
前記一対の基板のうち一方の基板に設けられた反射膜と、
前記一対の基板の他方の基板に対して、前記一方の基板と反対側に開口を有し、少なくとも前記一対の基板を収容する筐体と、
前記開口に装着された透光性部材と、
光を射出する射出面を有し、射出した前記光が前記他方の基板に進むように前記射出面が前記他方の基板に向けられており、前記筐体の前記開口付近と前記他方の基板との間に配置された光源と
を具備することを特徴とする液晶装置。
【請求項６】
前記筐体の前記一対の基板側の面には、前記光源から射出された光を反射する第２の反射部材が更に備えられていることを特徴とする請求項１から請求項５のうちのいずれか一項に記載の液晶装置。
【請求項７】
前記第２の反射部材上に積層された第２の散乱部材を更に具備することを特徴とする請求項６に記載の液晶装置。
【請求項８】
前記筐体は、上蓋と下蓋とを有し、
前記上蓋は、前記開口を有し、前記光源を少なくとも収容するものであることを特徴とする請求項１から請求項７のうちのいずれか一項に記載の液晶装置。
【請求項９】
請求項１から請求項８のうちいずれか一項に記載の液晶装置を備えたことを特徴とする電子機器。
【発明の詳細な説明】
【技術分野】
【０００１】
本発明は、パーソナルコンピュータや携帯電話機等に用いられる液晶装置及びその液晶装置を用いた電子機器に関する。
【背景技術】
【０００２】
従来、パーソナルコンピュータや携帯電話機等の電子機器の表示装置として液晶装置が用いられているが、その液晶装置の液晶パネル自体は発光しないため暗い所でも表示を見えるように、フロントライトとしての面状発光体が表示面の前面側に備えられた反射型液晶装置が開発されている。
【０００３】
しかし、フロントライトが備えられた反射型液晶装置においては光源を導光板の端面に配置するため、導光板の端部に光源を観察者から遮蔽できるだけの空間を必要とし、表示部分の周囲に枠が必要となって空間的に無駄があり、デザイン的にも制約が大きかった。
【０００４】
そこで、導光板と光源との間に導光部材を配置することが提案されている（例えば、特許文献１参照。）。
【特許文献１】国際公開ＷＯ９８／１３７０９（３７頁の上から１行目から５行目、図５５）。
【発明の開示】
【発明が解決しようとする課題】
【０００５】
しかしながら、特許文献１の提案により導光板と光源との間に距離がある場合でも、光源からの光線を有効に導光板に導くことができるようになったが、導光板を用いるためその厚さ分、当該液晶装置を用いた電子機器において薄くできないという問題がある。
【０００６】
また、当該導光板を必要とするため液晶装置の設計の自由度を上げることができないという問題もある。
【０００７】
本発明は、上述の課題に鑑みてなされるもので、導光板を用いなくても暗所での表示品質を確保すると共に更なる薄型化、低コスト化を図ることができる液晶装置及びその液晶装置を用いた電子機器を提供することを目的とする。
【課題を解決するための手段】
【０００８】
上記目的を達成するために、本発明の主たる観点に係る液晶装置は、液晶を狭持する一対の基板と、前記一対の基板のうち一方の基板に設けられた反射膜と、前記一対の基板の他方の基板に対して、前記一方の基板と反対側に開口を有し、少なくとも前記一対の基板を収容する筐体と、前記開口に装着された透光性部材と、前記筐体の前記開口付近と前記他方の基板との間に配置され、射出した光を前記透光性部材で反射させて前記他方の基板に入射させることが可能な光源とを具備することを特徴とする。
【０００９】
ここで、「基板」とは、例えばガラス基板等のことである。また、「透光性部材」とは、例えばカバーガラスや透明樹脂のことであり、光が透過可能であると共にその表面などで入射光が少なくとも一部反射可能であるものをいう。
【００１０】
本発明は、光源から射出された光が透光性部材により反射され、液晶パネルである他方の基板などに入射させられることとしたので、フロントライトのように射出光を導光板の側端面に入射させて面状発光体を形成させる必要がない。従って、導光板を必要としないので、導光板の厚さ分、当該液晶装置を用いた電子機器において薄くできる。
【００１１】
また、当該導光板を必要としないため液晶装置の設計の自由度を上げることができ、更なるコスト軽減が可能となる。
【００１２】
更に暗所においては、透光性部材内の有効表示領域の全面で画像を目視できなくとも、その一部の領域で時刻などの必要最小の画像情報を表示できれば済む場合もある。そのような場合も従来は、完全反射型の液晶装置においてフロントライトのように導光板などを用意することとなっており、部品点数が多くなったり、製造コストを増加させる原因ともなっていた。更には電力を必要以上に消費してしまうことにもなる。
【００１３】
これに対し本発明によれば、用途に応じた液晶装置を提供し、不要なコストを低減し、低消費とすることができる。
【００１４】
本発明の一の形態によれば、前記光源は、前記光を射出する射出面を有し、前記射出面は、前記射出した光が前記透光性部材に進むように前記透光性部材に向けられて前記筐体に配置されていることを特徴とする。これにより、透光性部材に向けられた射出面から射出する光は、特別な部材を用いるまでもなく当該透光性部材に進み、その透光性部材により反射して、液晶パネルである他方の基板に入射でき、低コスト化が可能である。
【００１５】
本発明の一の形態によれば、前記光源は、前記光を射出する射出面を有し、前記射出面を覆うように第１の散乱部材を更に具備し、前記射出した光は、前記第１の散乱部材により散乱させられ、前記透光性部材に進み反射されて前記他方の基板に入射させられることを特徴とする。これにより、射出光が第１の散乱部材により散乱するので光源の射出面を透光性部材の方向に向ける必要もなく、例えば光源の筺体裏面への固定角度等を調整する必要がないので製造がより容易であり、製造コストを低減できる。
【００１６】
また、当該第１の散乱部材により透光性部材方向だけでなく液晶パネルの他方の基板方向にも光源からの射出光を進ませることができる。
【００１７】
本発明の一の形態によれば、前記光源の前記筐体側と反対側面に固定された第１の反射部材を更に具備し、前記第１の反射部材は、前記第１の散乱部材により散乱させられた光の一部を前記透光性部材に進むように反射させることを特徴とする。これにより、散乱させられた光が透光性部材や第２の基板以外の方向に進んでも無駄になるのを防止でき、より効率的に光源から射出された光を画面表示に利用できる。
【００１８】
本発明の一の形態によれば、液晶を狭持する一対の基板と、前記一対の基板のうち一方の基板に設けられた反射膜と、前記一対の基板の他方の基板に対して、前記一方の基板と反対側に開口を有し、少なくとも前記一対の基板を収容する筐体と、前記開口に装着された透光性部材と、光を射出する射出面を有し、射出した前記光が前記他方の基板に進むように前記射出面が前記他方の基板に向けられており、前記筐体の前記開口付近と前記他方の基板との間に配置された光源とを具備することを特徴とする。これにより、他方の基板に向けられた射出面から射出する光は、特別な部材を用いるまでもなく当該他方の基板に進み、光源からの射出光を直接液晶パネルの他方の基板に入射でき、光の損失も少なくより効率的な反射型表示が可能となる。
【００１９】
本発明の一の形態によれば、前記筐体の前記一対の基板側の面には、前記光源から射出された光を反射する第２の反射部材が更に備えられていることを特徴とする。これにより、筺体の一対の基板側の面である内面に進んだ光を反射させて、透光性部材や直接他方の基板に入射させることができ、より光源から射出された光を効率的に画面表示に利用できる。
【００２０】
本発明の一の形態によれば、前記第２の反射部材上に積層された第２の散乱部材を更に具備することを特徴とする。これにより、第２の反射部材により反射された光を更に散乱させ筺体の裏面全体が発光面のようになり、他方の基板のより広い範囲に光を入射でき、液晶装置の表示品位を向上できる。
【００２１】
本発明の一の形態によれば、前記筐体は、上蓋と下蓋とを有し、前記上蓋は、前記開口を有し、前記光源を少なくとも収容するものであることを特徴とする。これにより、筺体に収容される一対の基板や光源などの組み付け等が容易になり、液晶装置の製造コストをより低減できる。
【００２２】
本発明の他の観点に係る電子機器は、上述の液晶装置を備えることを特徴とする。
【００２３】
本発明は、導光板を用いなくても暗所での表示品質を確保すると共に更なる薄型化、低コスト化を図ることができる液晶装置を備えたので、表示品位の高い電子機器を低コストに提供できる。
【発明を実施するための最良の形態】
【００２４】
以下、本発明の実施形態を図面に基づき説明する。なお、以下実施形態を説明するにあたっては、反射型の液晶装置の例としてＴＦＴ（Ｔｈｉｎ  Ｆｉｌｍ  Ｔｒａｎｎｓｉｓｔｏｒ）アクティブマトリックス型の液晶装置、またその液晶装置を用いた電子機器について説明するが、これに限られるものではない。また、以下の図面においては各構成をわかりやすくするために、実際の構造と各構造における縮尺や数等が異なっている。
【００２５】
（第１の実施形態）
図１は本発明の第１の実施形態に係る液晶装置の概略斜視図、図２は図１のＡ−Ａ線部分断面図（ＸドライバーＩＣ（Ｉｎｔｅｇｒａｔｅｄ  Ｃｉｒｃｕｉｔ）及び光源は切断していない。）及び図３は液晶装置の概略平面図である。
【００２６】
（液晶装置の構成）
液晶装置１は、例えば図１に示すように液晶パネル２、当該液晶パネル２に電気的に接続された可撓性基板としてのフレキシブル基板３、当該液晶パネル２に光を射出する照明装置４、これら液晶パネルや照明装置等を収容する筐体としてのケース５及びそのケース５に装着された透光性部材６とを有する。ここで、液晶装置１には、透光性部材６等の他にも、その他の付帯機構が必要に応じて付設される（図示しない）。
【００２７】
液晶パネル２は、図１及び図２に示すようにシール材７を介して貼り合わされた第１の基板８及び第２の基板９及び両基板の間隙に封入されたＴＮ（Ｔｗｉｓｔｅｄ  Ｎｅｍａｔｉｃ）型の液晶１０等を有する。
【００２８】
第１及び第２の基板８，９は、例えばガラスといった透光性を有する板状部材からなり、当該第１の基板８は、一対の基板の内の一方の基板としての第１の基材８ａを有し、第２の基板９は他方の基板としての第２の基材９ａを有する。更に図２に示すように第２の基材９ａの外側（液晶とは反対側）には、入射光を偏光させるための偏光板１１が貼着されている。
【００２９】
また、第１の基材８ａはその内側（液晶側）に例えば図１及び図２に示すように下地層１２とＹ軸方向にゲート電極１３が形成され、その下地層１２の上にＸ軸方向に信号線としてのソース電極１４と反射膜１５が形成されている。更にゲート電極１３及びソース電極１４は、例えばニッケル等から形成されており、図示しないＴＦＴに電気的に接続されている。また、ＴＦＴはＩＴＯ（インジウムスズ酸化物）等からなり反射膜１５に積層された画素電極１６に電気的に接続されている。
【００３０】
これにより、ゲート電極１３及びソース電極１４はゲート電極１３に電圧を印加したときにソース電極１４から画素電極１６に、またはその逆に電流が流れるようになる。ここで、ソース電極１４は画素電極１６にデータ信号を印加し、画素電極１６は後述する共通電極とでその間に挟まれた液晶１０に電圧を印加するものである。
【００３１】
また、そのゲート電極１３及びソース電極１４等の液晶側には配向膜１７が形成されている。
【００３２】
更に第１の基材８ａは、例えば図１及び図２に示すように第２の基材９ａの外周縁から張出した張出し部１８を有し、当該張出し部１８には、ゲート電極１３及びソース電極１４がシール材７で囲まれる領域から当該張出し部１８に延びたゲート電極用配線１９及びソース電極用配線２０等が形成されている。また、張出し部１８にはその各電極用配線に電気的に接続された液晶駆動用のドライバーＩＣ２１が実装されている。
【００３３】
更に張出し部１８は、例えば図１及び図２に示すようにドライバーＩＣ２１の実装面に対応する領域内にゲート電極用配線１９及びソース電極用配線２０に電気的に接続された図示しない電極用端子、更にフレキシブル基板３等からの電流をドライバーＩＣ２１に入力する図示しない入力用端子を有する。
【００３４】
また、張出し部１８は例えば図２に示すようにフレキシブル基板３等から電流を受取る外部用端子２２、その外部からの電流を入力用端子に供給する入力用配線２３等を有する。
【００３５】
ドライバーＩＣ２１は、例えば図２に示すようにその張出し部１８に実装する実装面に電極用端子及び入力用端子に電気的に接続する複数配列されたバンプ２４を有する。この電気的接続は、例えば電極用端子及び入力用端子とバンプ２４との間に接着材でもある図示しない異方性導電膜（ＡＣＦ（Ａｎｉｓｏｔｒｏｐｉｃ  Ｃｏｎｄｕｃｔｉｖｅ  Ｆｉｌｍ））を介して行なわれる。
【００３６】
一方、第２の基材９ａは例えば図２に示すようにその内側（液晶側）表面に共通電極２５が形成されており、その共通電極２５の液晶側には配向膜２６が形成されている。
【００３７】
尚、例えば第２の基材９ａの液晶側には、図示しないが必要に応じて着色層及び光遮蔽層等が形成されている。
【００３８】
次に、フレキシブル基板３は例えば図１及び図２に示すように基板としてのベース基材２７上に銅（Ｃｕ）等から形成された配線パターン２８等が形成され、実装されている。
【００３９】
ここで、ベース基材２７は可撓性を有するフイルム状の部材である。また、配線パターン２８は、ベース基材２７の張出し部側の端に形成されている接続用端子（図示しない）に電気的に接続されており、その接続用端子は、例えば液晶パネル２の外部用端子２２に異方性導電膜２９を介して電気的に接続されている。更に当該配線パターン２８の一部は分岐したベース基材２７ａに形成されており、光源３０に電気的に接続されている。
【００４０】
次に、照明装置４は例えば図２及び図３に示すように液晶パネル２に光を供給し、光源３０、光源３０からの光を散乱する第１の散乱部材３１及びその散乱部材などから射出した散乱光を一部反射する第１の反射部材３２を有する。
【００４１】
ここで、光源３０は例えば１つの発光ダイオード（以下「ＬＥＤ」（Ｌｉｇｈｔ  Ｅｍｉｔｔｉｎｇ  Ｄｉｏｄｅ）という。）３０ａが用いられ図２及び図３に示すよう後述する上ケースの開口付近で他方の基板である第２の基材９ａ側に配置されている。
【００４２】
具体的には、開口の周縁から少し上ケース内、例えば張出し部１８側に引っ込んだ位置で上ケースの裏面に配置されている。また、図３に示すようにその光源の配置位置は、液晶装置１を上から見て略Ｘ軸方向の中央に配置されている。勿論、光源３０は、一つである必要はなく複数配置してもよい。更に光源３０は、点光源であるＬＥＤ３０ａに限られるものでもなく、冷陰極管でもよい。ただし、ＬＥＤ３０ａの場合、１つを配置するほうが消費電力や部品コストなどを軽減できる。
【００４３】
また、ＬＥＤ３０ａは図２に示すようにその光を射出する射出面３０ｂを有しており、その射出面３０ｂが略第２の基材９ａの表面（液晶側と反対側）に平行な方向（図２のＹ軸方向）に射出面３０ｂからの射出光が射出されるように向けられている。
【００４４】
また、第１の散乱部材３１は射出面３０ｂを覆うように形成されており、例えば図２及び図３に示すように液晶装置１の厚さ方向（図２中のＺ軸方向）に略ＬＥＤ３０ａと同じ大きさで、横幅（図３中のＸ軸方向）はＬＥＤ３０ａより左右に少しはみ出るように形成されている。これにより、ＬＥＤ３０ａより射出された光は確実に散乱され、後述する透光性部材６や第２の基板９方向へ進むこととなる。
【００４５】
第１の散乱部材３１は、例えばＬＥＤ３０ａと反対側面に細かい凹凸がビーズなどにより形成されており、当該凹凸により光を散乱する。また、第１の散乱部材３１は例えばアクリル系樹脂等をベースフイルムとして用いてその上にビーズコート層を設けることにより形成される。或いは、第１の散乱部材３１は例えばＰＥＴ材にアクリル系ビーズ層を設けたものとされる。
【００４６】
更に第１の反射部材３２は、図２及び図３に示すようにＬＥＤ３０ａの上ケース側と反対側に例えば図示しない接着材などにより固定されている。そして、上から見て例えば図３の点線で示すようにＬＥＤ３０ａの四辺のうち開口と反対側の辺と第１の反射部材３２の一辺を揃え、他の三辺がＬＥＤ３０ａの他の三辺より外側に来るようにＬＥＤ３０ａより少し大きめに形成されている。これにより、ＬＥＤ３０ａより射出され第１の散乱部材３１により散乱された光のうちで透光性部材６や第２の基板と異なる方向に進む光を確実に透光性部材６に反射させることができ、光源３０からの射出光をより効率的に画像表示に利用できる。
【００４７】
尚、第１の反射部材３２は例えばペット材にＡｇを蒸着したフイルム等により形成されている。或いは、第１の反射部材３２は例えばポリエステル系樹脂を用いた多層膜構造から構成されたものを用いてもよい。
【００４８】
次に、ケース５は例えば図１に示すように上ケース５ａと下ケース５ｂとからなり、液晶パネル２や光源等を収容する。
【００４９】
上ケース５ａは、例えば図１及び図２に示すようにその中央に略矩形状の表示用の開口３５を有し、その開口３５に透光性部材６が装着されている。また、上ケース５ａは下ケース５ｂを覆うように額縁状に形成されている。更に上ケース５ａは、光源３０に固定された第１の反射部材３２を介し液晶パネル２の周縁部を保持し固定しているが開口３５の周縁が、例えば図２に示すように液晶パネル２の有効表示領域Ｂの周縁外側の見切り部分（図示しない）に平面的に隣接するように形成されている。これにより、表示に寄与しない部分が、該上ケース５ａにより覆われるので液晶表示がより鮮明になる。
【００５０】
ここで、透光性部材６は例えば厚さが１ｍｍから０．５ｍｍ程度の略矩形の板状に形成されており、ガラスや透明な樹脂等により形成されている。
【００５１】
下ケース５ｂは、例えば図１及び図２に示すように液晶パネル２が丁度収納されるように内側に凹部３６が形成されており、その凹部表面に図示しない接着材などにより第１の基板８の液晶側と反対側が固定されている。
【００５２】
更に下ケース５ｂは、例えば図１に示すように液晶パネル２の張出し部１８側の側壁３７の略上端中央に案内溝３８が設けてあり、図２に示すようにフレキシブル基板３が引き出され、或は折り曲げられている。
【００５３】
（液晶装置の動作）
次に、以上のように構成された液晶装置１の動作について光源からの光の進み方を中心に簡単に説明する。
【００５４】
図４は、光の進み方を側面側から説明する図である。
【００５５】
まず、図示しない駆動回路により例えばＬＥＤ３０ａに所定の電流が供給されると該ＬＥＤ３０ａ等はその射出面３０ｂから光を射出する。そして、そのＬＥＤ３０ａから射出された光は、例えば図３及び図４に示すようにその射出面３０ｂを覆っている第１の散乱部材３１に入射し、当該第１の散乱部材３１により散乱させられる。すなわち、平面的（図３中のＸＹ軸平面）に矢印Ｃ（図３中の矢印Ｃ）のように広がると共に、液晶装置１の厚さ方向（図４のＺ軸方向）にその光が広がり、一点鎖線Ｄ１、Ｅ１及びＦ１のように第１の散乱部材３１を射出することとなる。
【００５６】
ここで、例えば図４に示すＤ１のように透光性部材６の方向に進んだ光は、一部図４の矢印Ｄ２に示すように透光性部材６中に進みそのまま当該透光性部材６から射出するが、残りは当該透光性部材６の表面などにより反射され、第２の基板９の偏光板１１に向かう矢印Ｄ３の光となる。
【００５７】
そして、偏光板１１に入射した光Ｄ３は液晶１０を透過して変調され第１の基板８の反射膜１５まで進んで、当該反射膜１５により反射されて再び液晶１０を透過して変調されて偏光板１１から射出し、そのまま透光性部材６に入射する。この際、やはり一部は透光性部材６により反射して矢印Ｄ４のように再び偏光板１１に戻るが残りは、そのまま透光性部材６を透過して当該透光性部材６から射出する矢印Ｄ５の光となって、画面表示の像となる。
【００５８】
一方、第１の散乱部材３１により図４に示すＥ１のように偏光板１１へ進んだ光は、液晶１０を透過して変調され第１の基板８の反射膜１５まで進んで、当該反射膜１５により反射されて再び液晶１０を透過して変調され偏光板１１から射出し、そのまま透光性部材６に入射する。この際、やはり一部は透光性部材６により反射して矢印Ｅ２のように再び偏光板１１に戻るが残りは、そのまま透光性部材６を透過して当該透光性部材６から射出する矢印Ｅ３の光となって、画面表示の像となる。
【００５９】
更に第１の散乱部材３１により図４に示すＦ１のように広く拡散しすぎた射出光は、第１の反射部材３２により反射され、透光性部材６の方向に進む。そしてその光は、一部図４の矢印Ｆ２に示すように透光性部材６中に進みそのまま当該透光性部材６から射出するが、残りは当該透光性部材６の表面などにより反射され、第２の基板９の偏光板１１に向かう矢印Ｆ３の光となる。以下はＣ３の光の進み方と同様であるので説明を省略する。
【００６０】
以上で液晶装置１の動作の説明を終了する。
【００６１】
このように本実施形態によれば、光源３０から射出された光が透光性部材６により反射され、他方の基板である第２の基材９ａに入射させられることとしたので、フロントライトのように射出光を導光板の側端面に入射させて面状発光体を形成させる必要がない。従って、導光板を必要としないので、導光板の厚さ分、当該液晶装置を用いた電子機器において薄くできると共に部品点数が増加するのを防ぎコスト低減できる。
【００６２】
また、当該導光板を必要としないため液晶装置１の設計の自由度を上げることができる。
【００６３】
更に光源３０は、光を射出する射出面３０ｂを有し、当該射出面３０ｂを覆うように第１の散乱部材３１を更に具備し、射出した光は、第１の散乱部材３１により散乱させられ、透光性部材６に進み反射されて第２の基板９に入射させられることとした。従って、射出光が第１の散乱部材３１により散乱するので光源３０の射出面３０ｂを透光性部材６の方向に向ける必要もなく、例えば光源３０の上ケース５ａの裏面への固定角度等を調整する必要がないので製造がより容易であり、製造コストを低減できる。
【００６４】
また、当該第１の散乱部材３１により透光性部材方向だけでなく他方の基板である第２の基材方向にも光源３０からの射出光を進ませることができる。
【００６５】
更に光源３０の上ケース側と反対側面に固定された第１の反射部材３２を更に具備し、当該第１の反射部材３２は、第１の散乱部材３１により散乱させられた光の一部を透光性部材６に進むように反射させることとした。従って、散乱させられた光が透光性部材６や第２の基板９以外に進み無駄になるのを防止でき、より効率的に光源３０から射出された光を画面表示に利用できる。
【００６６】
また、光源３０は、一つのＬＥＤ３０ａから形成することとしたので、より省エネルギーを図ることができる。
【００６７】
（変形例１）
次に、本発明に係る液晶装置の変形例１について説明する。本変形例１においては、第１の散乱部材３１を用いず光源自体が広い角度で光を射出できるＬＥＤを用いた点が、第１の実施形態と異なるのでその点を中心に説明することとする。尚、以下の説明では第１の実施形態の構成要素と共通する構成要素については、第１の実施形態の構成要素と同一の符号を付しその説明を省略或は簡略化する。
【００６８】
（液晶装置の構成）
図５は本発明の変形例１に係る液晶装置の概略部分断面図（光源は切断していない。）である。
【００６９】
液晶装置１０１は、例えば図１及び図５に示すように液晶パネル２、当該液晶パネル２に電気的に接続された可撓性基板としてのフレキシブル基板３、当該液晶パネル２に光を射出する照明装置１０４及びこれら液晶パネルや照明装置等を収容するケース５とを有する。ここで、液晶装置１０１には、ケース５等の他にも、その他の付帯機構が必要に応じて付設される（図示しない）。
【００７０】
照明装置１０４は図５に示すように液晶パネル２に光を供給し、光源１３０及びその光源１３０から射出された光の一部を反射する第１の反射部材３２を有する。
【００７１】
ここで、光源１３０は１つのＬＥＤ１３０ａが用いられ上ケース５ａの開口付近で他方の基板である第２の基材９ａ側に配置されている。
【００７２】
具体的には、開口３５の周縁から少し上ケース内、例えば張出し部１８側に引っ込んだ位置で上ケースの裏面に配置されている。また、その光源１３０の配置位置は、液晶装置１０１を上から見て略Ｘ軸方向の中央に配置されている。勿論、光源１３０は、一つである必要はなく複数配置してもよい。更に光源１３０は、点光源であるＬＥＤ１３０ａに限られるものでもなく、冷陰極管でもよい。ただし、ＬＥＤ１３０ａの場合、１つを配置するほうが消費電力や部品コストなどを軽減できる。
【００７３】
また、ＬＥＤ１３０ａは図５に示すように半球状に形成された光を射出する射出面１３０ｂを有しており、当該半球面に略垂直な方向に光がＬＥＤ１３０ａから射出されることとなる。これにより、第１の散乱部材３１を用いなくても透光性部材６や偏光板１１の広い範囲に光を射出できる。射出方向の例としては上述と同様にＤ１、Ｅ１及びＦ１を想定できる。勿論、平面方向にも上述と同様に光源１３０から広い範囲に扇形に広がって光が射出される。
【００７４】
（液晶装置の動作）
次に、以上のように構成された液晶装置１０１の動作についての光源からの光の進み方については、光源３０が光源自体広い角度に光を射出する光源１３０に変わっただけで略第１の実施形態と同様であるのでその説明を省略する。
【００７５】
このように本変形例によれば、光源１３０を広い角度で光を射出できるものとしたので、第１の散乱部材３１を用いなくても透光性部材６や偏光板１１の広い範囲に光を射出でき、部品点数を少なくしてコストをより軽減可能である。また、第１の散乱部材を用いないので光の損失をより少なくできると共に、設計の自由度をより向上させることが可能となる。
【００７６】
（変形例２）
次に、本発明に係る液晶装置の変形例２について説明する。本変形例２においては、例えば上ケースの裏面に第２の反射部材及び第２の散乱部材を用いた点が、第１の実施形態と異なるのでその点を中心に説明することとする。
【００７７】
（液晶装置の構成）
図６は本発明の変形例２に係る液晶装置の概略断面図（ドライバーＩＣ及び光源は切断していない。）である。
【００７８】
液晶装置２０１は、例えば図１及び図６に示すように液晶パネル２、当該液晶パネル２に電気的に接続された可撓性基板としてのフレキシブル基板３、当該液晶パネル２に光を射出する照明装置４及びこれら液晶パネルや照明装置等を収容するケース２０５とを有する。ここで、液晶装置２０１には、ケース２０５等の他にも、その他の付帯機構が必要に応じて付設される（図示しない）。
【００７９】
ケース２０５は、例えば図１に示すように上ケース２０５ａと下ケース５ｂとからなり、液晶パネル２や光源などを収容する。
【００８０】
上ケース２０５ａは、例えば図１及び図６に示すようにその中央に略矩形状の表示用の開口３５を有し、その開口３５に透光性部材６が装着されている。また、上ケース２０５ａは下ケース５ｂを覆うように額縁状に形成されている。更に上ケース２０５ａは、光源３０に固定された第１の反射部材３２を介し液晶パネル２の周縁部を保持し固定しているが開口３５の周縁が、例えば図６に示すように液晶パネル２の有効表示領域Ｂの周縁外側の見切り部分（図示しない）に平面的に隣接するように形成されている。これにより、表示に寄与しない部分が、該上ケース２０５ａにより覆われるので液晶表示がより鮮明になる。
【００８１】
また、筺体の一対の基板である第１及び第２の基板９側の面である上ケース２０５ａの内側面２０５ｃ（裏面）には、例えば図７に示す斜線領域Ｇのように開口３５の周囲を囲む平面部分と例えば図６に示すようにその平面部分に続く側壁部分とに第２の反射部材２４１が形成されており、更にその上に第２の散乱部材２４２が積層されている。
【００８２】
ここで、第２の反射部材２４１は例えば筐体の裏側（ＡＢＳ材）に直接銀（Ａｇ）が蒸着されて形成されており、第２の散乱部材２４２は例えば表側面に細かい凹凸がビーズなどにより形成されている。
【００８３】
尚、上述の説明では光源３０の前面に第１の散乱部材３１を配置すると共に当該光源３０の液晶パネル側の面に第１の反射部材３２を配置した上で、例えば筐体である上ケース２０５ａの裏面に第２の反射部材２４１及び第２の散乱部材２４２を備えることとした。しかし、これに限られるものではなく例えば光源３０に第１の散乱部材３１及び第１の反射部材３２を配置しないで、上ケース２０５ａの裏面に第２の反射部材２４１及び第２の散乱部材２４２を備えてもよい。
【００８４】
これによっても、光源３０の一例であるＬＥＤ３０ａから射出した光が上ケース２０５ａに設けられた第２の反射部材２４１により反射させられ、更に第２の散乱部材２４２により散乱させられて透光性部材６に進み、当該透光性部材６により反射させられ第２の基材９ａに入射することが起こりえる。また、第２の反射部材２４１により反射させられ、更に第２の散乱部材２４２により散乱させられて直接、第２の基材９ａに入射することが起こりえる。
【００８５】
また、上述の説明では上ケース２０５ａの裏面に第２の反射部材２４１及び第２の散乱部材２４２を備えることとしたが、その第２の反射部材２４１のみを配置してもよい。これによっても、ある程度上ケース２０５ａの裏面に進んだ光を透光性部材６や第２の基材９ａに進ませることが可能となる。
【００８６】
（液晶装置の動作）
次に、以上のように構成された液晶装置２０１の動作についての光源からの光の進み方については第１の実施形態の場合のように光源３０から射出した光は、Ｄ１，Ｅ１及びＦ１として進む点は同様であり、その点についての説明は省略する。
【００８７】
図７は、光の進み方を平面側から説明する図である。
【００８８】
ただし、本変形例では射出した光が透光性部材６や偏光板１１から外れて例えば図７に示すように開口３５の外側の上ケース２０５ａの内側面２０５ｃに矢印Ｈ１のように進んだ場合も、当該射出した光はその内側面２０５ｃの第２の反射部材２４１により反射させられる。そして、当該第２の反射部材２４１の上に積層された第２の散乱部材２４２により散乱させられて例えば図７の矢印Ｈ２に示すように透光性部材６や偏光板１１に戻ってきて透光性部材６により反射され、偏光板１１に入射することとなる。
【００８９】
このように本変形例によれば、筐体の一対の基材側の面である内側面２０５ｃに光源３０から射出された光を反射する第２の反射部材２４１を更に具備することとしたので、内側面２０５ｃに進んだ光を反射させて透光性部材６や直接偏光板１１に入射させることができ、より光源３０から射出された光を効率的に画面表示に利用できる。
【００９０】
また、第２の反射部材上に積層された第２の散乱部材２４２を更に具備することとしたので、第２の反射部材２４１により反射された光を更に散乱させ内側面２０５ｃ全体が発光面のようになり、偏光板１１のより広い範囲に光を入射でき、液晶装置２０１の表示品位を向上できる。
【００９１】
（第２の実施形態）
次に本発明に係る液晶装置の第２の実施形態について説明する。本実施形態においては、光源の向く方向が異なるなどの点で第１の実施形態と異なっているのでその点を中心に説明する。
【００９２】
（液晶装置の構成）
図８は本発明の第２の実施形態に係る液晶装置の概略部分断面図（光源は切断していない。）である。
【００９３】
液晶装置３０１は、例えば図１及び図８に示すように液晶パネル２、当該液晶パネル２に電気的に接続された可撓性基板としてのフレキシブル基板３、当該液晶パネル２に光を射出する照明装置３０４及びこれら液晶パネルや照明装置等を収容するケース５とを有する。ここで、液晶装置３０１には、ケース５等の他にも、その他の付帯機構が必要に応じて付設される（図示しない）。
【００９４】
照明装置３０４は図８に示すように液晶パネル２に光を供給し、光源３３０を有するが、上述のような第１の散乱部材３１や第１の反射部材３２は設けられていない。
【００９５】
ここで光源３３０は、例えば１つのＬＥＤ３３０ａが用いられ図８に示すよう上ケース５ａの開口付近で他方の基板である第２の基材９ａ側に配置されている。
【００９６】
具体的には、開口３５の周縁から少し上ケース内、例えば張出し部１８側に引っ込んだ位置で上ケース５ａの裏面に配置されている。また、そのＬＥＤ３３０ａの配置位置は、液晶装置３０１を上から見て略Ｘ軸方向の中央に配置されている。勿論、ＬＥＤ３３０ａは、一つである必要はなく複数配置してもよい。更に光源３３０は、点光源であるＬＥＤ３３０ａに限られるものでもなく、冷陰極管でもよい。ただし、ＬＥＤ３３０ａの場合、１つを配置するほうが消費電力や部品コストなどを軽減できる。
【００９７】
また、ＬＥＤ３３０ａは図８に示すようにその光を射出する射出面３３０ｂを有しており、その射出面３３０ｂはそこから射出した光が透光性部材６に進むように当該透光性部材６に向けられている。
【００９８】
例えば射出面３３０ｂが、略第２の基材９ａの表面（液晶側と反対側）に平行な方向（図８中のＹ軸方向）に対し、当該射出面３３０ｂからの射出光が透光性部材６に射出されるような角度θ１となるように透光性部材６方向に向けられている。
【００９９】
更にＬＥＤ３３０ａは、上述した方向に射出面３３０ｂが向くように上ケース５ａの裏面に斜めに接着材などにより固定されている。勿論、射出面の向き自体は略第２の基材９ａの表面（液晶側と反対側）に平行な方向（図８中のＹ軸方向）に向けて、第１の反射部材３２を用いて光源からの射出する光を全て透光性部材６に進ませてもよい。
【０１００】
（液晶装置の動作）
次に、以上のように構成された液晶装置３０１の動作について光源からの光の進み方を中心に簡単に説明する。
【０１０１】
まず、図示しない駆動回路により例えばＬＥＤ３３０ａに所定の電流が供給されると該ＬＥＤ３３０ａ等はその射出面３３０ｂから光を射出する。そして、そのＬＥＤ３３０ａから射出された光は、例えば図８に示すように略第２の基材９ａの表面（液晶側と反対側）に平行な方向（図８中のＹ軸方向）に対し、図８中の一点鎖線Ｉ１で示すように角度θ１で進む。
【０１０２】
そして、例えば図８に示すＩ１のように透光性部材６の方向に進んだ光は、一部図８の矢印Ｉ２に示すように透光性部材６中に進みそのまま当該透光性部材６から射出するが、残りは当該透光性部材６の表面などにより反射され、第２の基材９ａの偏光板１１に向かう矢印Ｉ３の光となる。
【０１０３】
そして、偏光板１１に入射した光Ｉ３は液晶１０を透過して変調され第１の基板８の反射膜１５まで進んで、当該反射膜１５により反射されて再び液晶１０を透過して変調されて偏光板１１から射出し、そのまま透光性部材６に入射する。この際、やはり一部は透光性部材６により反射して矢印Ｉ４のように再び偏光板１１に戻るが、残りはそのまま透光性部材６を透過して当該透光性部材６から射出する矢印Ｉ５の光となって、画面表示の像となる。
【０１０４】
以上で液晶装置３０１の動作の説明を終了する。
【０１０５】
このように本実施形態によれば、光源３３０は、光を射出する射出面３３０ｂを有し、当該射出面３３０ｂは、射出した光が透光性部材６に進むように当該透光性部材６に向けられて上ケース５ａに配置されていることとした。従って、透光性部材６に向けられた射出面３３０ｂから射出する光は、特別な部材を用いるまでもなく当該透光性部材６に進み、その透光性部材６により反射して、液晶パネルである第２の基板９に入射でき、より低コスト化を図りながら暗所においても表示が可能な液晶装置３０１とすることが可能となる。
【０１０６】
（第３の実施形態）
次に本発明に係る液晶装置の第３の実施形態について説明する。本実施形態においては、光源から射出される光の方向を液晶パネル２に向けた点が第１の実施形態と異なっているのでその点を中心に説明する。
【０１０７】
（液晶装置の構成）
図９は本発明の第３の実施形態に係る液晶装置の概略部分断面図（光源は切断していない。）及び図１０は画面表示の一例を説明する図である。
【０１０８】
液晶装置４０１は、例えば図１及び図９に示すように液晶パネル２、当該液晶パネル２に電気的に接続された可撓性基板としてのフレキシブル基板３、当該液晶パネル２に光を射出する照明装置４０４及びこれら液晶パネルや照明装置等を収容するケース５とを有する。ここで、液晶装置４０１には、ケース５等の他にも、その他の付帯機構が必要に応じて付設される（図示しない）。
【０１０９】
照明装置４０４は図９に示すように液晶パネル２に光を供給し、光源４３０を有するが、上述のような第１の散乱部材３１や第１の反射部材３２は設けられていない。
【０１１０】
ここで光源４３０は、例えば１つのＬＥＤ４３０ａが用いられ図９に示すよう上ケース５ａの開口付近で他方の基板である第２の基材９ａ側に配置されている。
【０１１１】
具体的には、開口３５の周縁から少し上ケース内、例えば張出し部１８側に引っ込んだ位置で上ケース５ａの裏面に配置されている。また、そのＬＥＤ４３０ａの配置位置は、例えば図１０に示すように液晶装置４０１を上から見て略Ｘ軸方向の中央に配置されている。勿論、ＬＥＤ４３０ａは、一つである必要はなく複数配置してもよい。更に光源４３０は、点光源であるＬＥＤ４３０ａに限られるものでもなく、冷陰極管でもよい。ただし、ＬＥＤ４３０ａの場合、１つを配置するほうが消費電力や部品コストなどを軽減できる。
【０１１２】
また、ＬＥＤ４３０ａは図９に示すようにその光を射出する射出面４３０ｂを有しており、その射出面４３０ｂはそこから射出した光が他方の基板としての第２の基材９ａ、更に具体的には偏光板１１に進むように当該偏光板１１に向けられている。
【０１１３】
例えば射出面４３０ｂが、略第２の基材９ａの表面（液晶側と反対側）に平行な方向（図９中のＹ軸方向）に対し、当該射出面４３０ｂからの射出光が偏光板１１に射出されるような角度θ２となるように偏光板方向に向けられている。
【０１１４】
更にＬＥＤ４３０ａは、上述した方向に射出面４３０ｂが向くように上ケース５ａの裏面に斜めに接着材などにより固定されている。勿論、射出面の向き自体は略第２の基材９ａの表面（液晶側と反対側）に平行な方向（図８中のＹ軸方向）に向けて、第１の反射部材３２を用いて光源からの射出する光を全て偏光板１１に進ませてもよい。
【０１１５】
（液晶装置の動作）
次に、以上のように構成された液晶装置４０１の動作について光源からの光の進み方を中心に簡単に説明する。
【０１１６】
まず、図示しない駆動回路により例えばＬＥＤ４３０ａに所定の電流が供給されると該ＬＥＤ４３０ａ等はその射出面４３０ｂから光を射出する。そして、そのＬＥＤ４３０ａから射出された光は、例えば図９に示すように略第２の基材９ａの表面（液晶側と反対側）に平行な方向（図９中のＹ軸方向）に対し、図９中の一点鎖線Ｊ１で示すように角度θ２で進む。
【０１１７】
そして、偏光板１１に入射した光は液晶１０を透過して変調され第１の基板８の反射膜１５まで進んで、当該反射膜１５により反射されて再び液晶１０を透過して変調されて偏光板１１から射出し、そのまま透光性部材６に入射する。この際、一部は透光性部材６により反射して矢印Ｊ２のように再び偏光板１１に戻るが残りは、そのまま透光性部材６を透過して当該透光性部材６から射出する矢印Ｊ３の光となって、画面表示の像となる。
【０１１８】
以上で液晶装置４０１の動作の説明を終了する。
【０１１９】
このように本実施形態によれば、光を射出する射出面４３０ｂを有し、射出した光が他方の基板としての第２の基材９ａに進むように射出面４３０ｂが第２の基材９ａに向けられており、上ケース５ａの開口付近で第２の基材側に配置された光源４３０を具備することとした。従って、第２の基材９ａに向けられた射出面４３０ｂから射出する光は、特別な部材を用いるまでもなく当該第２の基材９ａに進み、光源４３０からの射出光を直接液晶パネル２に入射でき、光の損失も少なくより効率的な反射型表示が可能となる。
【０１２０】
また、暗所においては透光性部材６内の有効表示領域Ｂの全面で画像を目視できなくとも、例えば図１０中のＫの領域で時刻などの必要最小の画像情報を表示できれば済む場合もある。そのような場合も従来は、完全反射型の液晶装置においてフロントライトのように導光板や複数のＬＥＤを用意することとなっており、部品点数が多くなり、製造コストを増加させる原因ともなっていた。更には電力を必要以上に消費してしまうことにもなる。そのような場合に、用途に応じた液晶装置４０１を提供し、不要なコストを低減し、低消費とすることができる。
【０１２１】
尚、上述の説明では、ＬＥＤ４３０ａを開口３５の張出し部側に一つ設けた場合の画面表示について説明したが、例えば複数のＬＥＤ４３０ａを用いてそれぞれ異なる画面領域にスポット的に表示してもよい。例えば開口３５で張出し部１８と反対側に二つ目のＬＥＤ４３０ａを配置してもよい。これにより、より表示画面の自由度が増すと共に導光板などを必要としないので低コスト、低消費電力とすることが可能となる。
【０１２２】
（第４の実施形態・電子機器）
次に、上述した液晶装置１，１０１，２０１，３０１，４０１を備えた本発明の第４の実施形態に係る電子機器について説明する。
【０１２３】
図１１は本発明の第４の実施形態に係る携帯電話機の外観概略図及び図１２はパーソナルコンピュータの外観概略図である。
【０１２４】
例えば、携帯電話機５００は、図１１に示すように複数の操作ボタン５７１の他、受話口５７２、送話口５７３を有する外枠に例えば、液晶装置１を備えている。
【０１２５】
また、パーソナルコンピュータ６００は、図１２に示すようにキーボード６８１を備えた本体部６８２と、液晶表示ユニット６８３とから構成されており、液晶表示ユニット６８３は外枠に例えば、液晶装置１を備えている。
【０１２６】
これらの電子機器は、液晶装置１の他に図示しないが表示情報出力源、表示情報処理回路等の様々な回路及びそれらの回路に電力を供給する電源回路等からなる表示信号生成部等を含んで構成される。
【０１２７】
更に液晶装置１には例えば、パーソナルコンピュータ６００の場合にあってはキーボード６８１から入力された情報に基づき表示信号生成部によって生成された表示信号が供給されることによって、表示画像が液晶装置１に表示される。
【０１２８】
本実施形態によれば、導光板などを用いなくても暗所での表示品質を確保すると共に更なる薄型化、低コスト化を図ることができる液晶装置１を備えたので、表示品位の高い電子機器を低コストに提供できる。
【０１２９】
特に上述したような携帯可能な電子機器にあっては、室外で用いても画面表示が鮮明であることが求められており、例えば暗所でも表示品位を低コストに提供できる本発明の意義は大きいといえる。
【０１３０】
尚、電子機器としては、他に液晶装置が搭載されたタッチパネル、プロジェクタ、液晶テレビやビューファインダ型、モニタ直視型のビデオテープレコーダ、カーナビゲーション、ページャ、電子手帳、電卓等が挙げられる。そして、これらの各種電子機器の表示部として、上述した例えば液晶装置１，１０１，２０１，３０１，４０１が適用可能なのは言うまでもない。
【０１３１】
また、本発明は上述したいずれの実施形態及び変形例にも限定されず、本発明の技術思想の範囲内で適宜変更して実施できる。また、本発明の要旨を逸脱しない範囲において、上述した各実施形態及び変形例を組み合わせ得る。
【０１３２】
例えば上述した実施形態では、電気光学装置の一例として薄膜トランジスタ素子アクティブマトリクス型の液晶装置について説明したがこれに限られるものではなく、例えば、薄膜ダイオード素子アクティブマトリクス型やパッシブマトリクス型の液晶装置であってもよい。これにより、多種多様な液晶装置についても、導光板などを用いなくても暗所での表示品質を確保すると共に更なる薄型化、低コスト化を図ることができる。
【０１３３】
更に上述の説明では、ドライバーＩＣ２１をＣＯＧ（Ｃｈｉｐ  Ｏｎ  Ｇｌａｓｓ）として説明したがこれに限られるものではなく、例えばフレキシブル基板３に実装するＣＯＦ（Ｃｈｉｐ  Ｏｎ  Ｆｉｌｍ）の場合であってもよい。これにより、多種多様な液晶装置についても、導光板などを用いなくても暗所での表示品質を確保すると共に更なる薄型化、低コスト化を図ることができる。
【０１３４】
また、上述の説明では、光源を筐体としての上ケースに配置するものとして説明したがこれに限られるものではなく、下ケースは勿論、例えば液晶パネル側に光源を配置して透光性部材６や上ケースに配置された第２の反射部材及び第２の散乱部材に向けて光を射出させるようにしてもよい。これにより、より設計の自由度を向上させることができる。
【図面の簡単な説明】
【０１３５】
【図１】第１の実施形態に係る液晶装置の概略斜視図である。
【図２】図１のＡ−Ａ線断面図である。
【図３】第１の実施形態に係る液晶装置の概略平面図である。
【図４】第１の実施形態に係る光の進み方を側面側から説明する図である。
【図５】変形例１に係る液晶装置の概略部分断面図である。
【図６】変形例２に係る液晶装置の概略断面図である。
【図７】変形例２に係る液晶装置の光の進み方を平面側から説明する図である。
【図８】第２の実施形態に係る液晶装置の概略部分断面図である。
【図９】第３の実施形態に係る液晶装置の概略部分断面図である。
【図１０】第３の実施形態に係る画面表示の一例を説明する図である。
【図１１】第４の実施形態に係る携帯電話機の外観概略図である。
【図１２】第４の実施形態に係るパーソナルコンピュータの外観概略図である。
【符号の説明】
【０１３６】
１，１０１，２０１，３０１，４０１  液晶装置、  ２  液晶パネル  、  ３  フレキシブル基板、  ４，１０４，３０４，４０４  照明装置、  ５，２０５  ケース、  ６  透光性部材、  ７  シール材、  ８  第１の基板、  ９  第２の基板、  １０  液晶、  １１  偏光板、  １２  下地層、  １３  ゲート電極、  １４  ソース電極、  １５  反射膜、  １６  画素電極、  １７，２６  配向膜、  １８  張出し部、  １９  ゲート電極用配線、  ２０  ソース電極用配線、  ２１  ドライバーＩＣ、  ２２  外部用端子、  ２３  入力用配線、  ２４  バンプ、  ２５  共通電極、  ２７  ベース基材、  ２８  配線パターン、  ２９  異方性導電膜、  ３０，１３０，３３０，４３０  光源、  ３０ｂ，１３０ｂ，３３０ｂ，４３０ｂ  射出面、  ３１  第１の散乱部材、  ３２  第１の反射部材、  ３５  開口、  ３６  凹部、  ３７  側壁、  ３８  案内溝、  ２４１  第２の反射部材、  ２４２  第２の散乱部材、  ５００  携帯電話機、  ５７１  操作ボタン、  ５７２  受話口、  ５７３  送話口、  ６００  パーソナルコンピュータ、  ６８１  キーボード、  ６８２  本体部  、  ６８３  液晶表示ユニット
【図１】
2007334084.tif 000003
【図２】
2007334084.tif 000004
【図３】
2007334084.tif 000005
【図４】
2007334084.tif 000006
【図５】
2007334084.tif 000007
【図６】
2007334084.tif 000008
【図７】
2007334084.tif 000009
【図８】
2007334084.tif 000010
【図９】
2007334084.tif 000011
【図１０】
2007334084.tif 000012
【図１１】
2007334084.tif 000013
【図１２】
2007334084.tif 000014